【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて前記第１所定時間分より長い第２所定時間分をスキップさせた上で再び前記画像情報を再生する第２スキップ手段とを具備することを特徴とする画像記録再生装置。
【請求項２】
前記第１所定時間は前記第２所定時間よりも１秒以上５秒以内だけ短いことを特徴とする請求項１に記載される画像記録再生装置。
【請求項３】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を、１５秒の所定倍数よりも１秒以上５秒以内だけ短い第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて１５秒の所定倍数である第２所定時間分をスキップさせた上で再び前記画像情報を再生する第２スキップ手段とを具備することを特徴とする画像記録再生装置。
【請求項４】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を、２５秒以上２９秒以内である所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記所定時間分だけスキップさせ、２度目の押下に応じて３０秒分のスキップを行った上で再び前記画像情報を再生する第２スキップ手段とを具備することを特徴とする画像記録再生装置。
【請求項５】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下が１度目の押下に応じたスキップが完了していないときは前記第１所定時間分より長い第２所定時間分をスキップさせ、２度目の押下が１度目の押下に応じたスキップが完了後にあったときは前記第１所定時間分より長く第２所定時間分より短い第３所定時間分をスキップさせた上で再び前記画像情報を再生する第２スキップ手段と、
を具備することを特徴とする画像記録再生装置。
【請求項６】
記録媒体に対し画像情報の記録及び再生を行う画像記録再生装置であって、
前記記録媒体に格納された画像情報を再生する再生手段と、
ユーザの入力に応じて第１所定時間と前記第１所定時間より長い第２所定時間を設定する設定手段と、
ユーザのスキップキーの押下によって、前記再生手段による前記画像情報の再生を前記設定手段で設定された前記第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて前記設定手段により設定された第２所定時間分をスキップさせた上で再び前記画像情報を再生する第２スキップ手段とを具備することを特徴とする画像記録再生装置。
【手続補正２】
【補正対象書類名】明細書
【補正対象項目名】０００７
【補正方法】変更
【補正の内容】
【０００７】
【課題を解決するための手段】
本発明に係る画像記録再生装置は、記録媒体に対し画像情報の記録及び再生を行う画像記録再生装置であって、前記記録媒体に格納された画像情報を再生する再生手段と、ユーザのスキップキーの押下によって、前記再生手段による前記画像情報の再生を第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下に応じて前記第１所定時間分より長い第２所定時間分をスキップさせた上で再び前記画像情報を再生する第２スキップ手段とを具備することを特徴とする画像記録再生装置である。
【手続補正３】
【補正対象書類名】明細書
【補正対象項目名】０００８
【補正方法】変更
【補正の内容】
【０００８】
上記の様な構造により本発明は、スキップ機能のための１度目のスキップキー押下の操作では、ユーザがコマーシャルに入ったことを認識するまでの時間や、リモコンを手に取るまでの時間を考慮した第１所定時間とし、２度目のスキップキー押下の操作では、このような時間を含めない第２所定時間とするものである。これにより、例えば、３０秒のコマーシャルに対しては２５秒のスキップを行い、６０秒のコマーシャルに対する２回の押下では、２５秒＋３０秒の５５秒のスキップを行うことで、ユーザの操作の遅れ時間をも考慮したスキップ処理を行う。これにより、従来装置にありがちであった、本編が再開して一定時間経過した時点にスキップしてしまうという不具合を回避することが可能となる。
【手続補正４】
【補正対象書類名】明細書
【補正対象項目名】０００９
【補正方法】変更
【補正の内容】
【０００９】
又本発明は、記録媒体に対し画像情報の記録及び再生を行う画像記録再生装置であって、前記記録媒体に格納された画像情報を再生する再生手段と、ユーザのスキップキーの押下によって、前記再生手段による前記画像情報の再生を第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下が１度目の押下に応じたスキップが完了していないときは前記第１所定時間分より長い第２所定時間分をスキップさせ、２度目以降の押下が１度目の押下に応じたスキップが完了後にあったときは前記第１所定時間分より長く第２所定時間分より短い第３所定時間分をスキップさせた上で再び前記画像情報を再生する第２スキップ手段とを具備することを特徴とする画像記録再生装置である。
【手続補正５】
【補正対象書類名】明細書
【補正対象項目名】００１０
【補正方法】変更
【補正の内容】
【００１０】
上記の様な構造により本発明は、上述したように一回目のスキップのスキップ時間にユーザの操作の遅れ分を考慮することにより、従来あったコマーシャルが終了し本編が再開して小時間が経過した時点へスキップしてしまうという不具合を解消するものであるが、併せて、１回目のスキップキー押下のやや後に２回目のスキップキー押下をした際に、この２回目の押下が１回目のスキップキー押下に応じてスキップ処理が完了して再生が始まった後となった場合を想定している。この場合は、１回目のスキップ後の小時間の再生を考慮しないとやはりスキップしすぎる状況が発生するため、例えば正規の３０秒ではなく、２８秒とか２９秒などのスキップ時間の調節（すなわち第３所定時間）を行うものである。この第３所定時間は、第１所定時間の程には時間は短縮されていないことが特徴である。
【手続補正６】
【補正対象書類名】明細書
【補正対象項目名】００１１
【補正方法】変更
【補正の内容】
【００１１】
又本発明は、記録媒体に対し画像情報の記録及び再生を行う画像記録再生装置であって、前記記録媒体に格納された画像情報を再生する再生手段と、ユーザの入力に応じて第１所定時間と前記第１所定時間より長い第２所定時間を設定する設定手段と、ユーザのスキップキーの押下によって、前記再生手段による前記画像情報の再生を前記設定手段で設定された前記第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下に応じて前記設定手段により設定された第２所定時間分をスキップさせた上で再び前記画像情報を再生する第２スキップ手段とを具備することを特徴とする画像記録再生装置である。